(57)【要約】【課題】歯車Ｇの周面に臨ませて設けられる多出力速度発電機１であって、永久磁石２と、永久磁石２の一方の極と他方の極に夫々接続される第１と第２の一対の磁極片３１，３２とを備え、第１と第２の各磁極片３１，３２に、コイル４を外嵌させた、歯車Ｇの周面に対し径方向に対向する複数の磁極部３１ａ〜３２ｂを設けるものにおいて、磁極片３１，３２の厚さ方向、または高さ方向の寸法増加、即ち、断面積増加による速度発電機の大型化を招くことなく出力電圧を向上できるようにする。【解決手段】永久磁石２は、その着磁方向が歯車Ｇの軸方向に沿うように配置される。第１と第２の両磁極片３１，３２が永久磁石２を歯車Ｇの軸方向両側から挟むようにして歯車Ｇの周方向にのびる。第１磁極片３１の各磁極部３１ａ，３１ｂとこれと対を成す第２磁極片３２の各磁極部３２ａ，３２ｂとが歯車Ｇの歯筋方向に並ぶ。【選択図】図３
2018148713.tif 000002
【特許請求の範囲】
【請求項１】
歯車の周面に臨ませて設けられる多出力速度発電機であって、永久磁石と、永久磁石の一方の極と他方の極に夫々接続される第１と第２の一対の磁極片とを備え、第１と第２の各磁極片に、コイルを外嵌させた、歯車の周面に対し径方向に対向する複数の磁極部を設けるものにおいて、
永久磁石は、その着磁方向が歯車の軸方向に沿うように配置され、第１と第２の両磁極片が永久磁石を歯車の軸方向両側から挟むようにして歯車の周方向にのび、第１磁極片の各磁極部とこれと対を成す第２磁極片の各磁極部とが歯車の歯筋方向に並ぶことを特徴とする多出力速度発電機。
【発明の詳細な説明】
【技術分野】
【０００１】
本発明は、歯車の回転速度を検出するために、歯車の周面に臨ませて設けられる多出力速度発電機に関する。
【背景技術】
【０００２】
従来、この種の多出力速度発電機として、永久磁石と、永久磁石の一方の極と他方の極に夫々接続される第１と第２の一対の磁極片とを備え、第１と第２の各磁極片に、コイルを外嵌させた、歯車の周面に対し径方向に対向する複数の磁極部を設けるものが知られている（例えば、特許文献１参照）。このもので、永久磁石は、その着磁方向が歯車の周方向に沿うように配置される。そして、歯車の周方向一方を向く永久磁石の一方の極から歯車の周方向一方にのびるように第１磁極片を配置すると共に、歯車の周方向他方を向く永久磁石の他方の極から歯車の周方向他方にのびるように第２磁極片を配置している。
【先行技術文献】
【特許文献】
【０００３】
【特許文献１】特許第３０００７８７号公報
【発明の概要】
【発明が解決しようとする課題】
【０００４】
ところで、歯車の回転に伴いコイルから出力される出力電圧を高くするには、コイルの巻数を増加させるか、永久磁石の各極と各磁極片との磁束が流入する接合面積を大きくして、各磁極片に流入する磁束を増やす必要がある。尚、ここからは歯車の周方向を磁極片の長手方向、歯車の軸方向を磁極片の厚さ方向、歯車の径方向を磁極片の高さ方向と呼ぶことにする。
【０００５】
上記従来例のものにおいて、出力電圧向上のために、永久磁石の各極と各磁極片との磁束が流入する接合面積を大きくするには、永久磁石の着磁方向に直交する永久磁石の断面積を大きくすると共に、各磁極片の厚さ方向、または高さ方向の寸法を長くして各磁極片の断面積も大きくせざるを得なくなり、速度発電機の大型化を招く。また、永久磁石及び各磁極片の断面積を大きくせずに出力電圧を向上させるには、コイル巻数を増やすことが必要になるが、コイルが大型化するため、この場合も速度発電機の大型化を招く。
【０００６】
本発明は、以上の点に鑑み、速度発電機の大型化を招くことなく出力電圧を向上できるようにした多出力速度発電機を提供することをその課題としている。
【課題を解決するための手段】
【０００７】
上記課題を解決するために、本発明は、歯車の周面に臨ませて設けられる多出力速度発電機であって、永久磁石と、永久磁石の一方の極と他方の極に夫々接続される第１と第２の一対の磁極片とを備え、第１と第２の各磁極片に、コイルを外嵌させた、歯車の周面に対し径方向に対向する複数の磁極部を設けるものにおいて、永久磁石は、その着磁方向が歯車の軸方向に沿うように配置され、第１と第２の両磁極片が永久磁石を歯車の軸方向両側から挟むようにして歯車の周方向にのび、第１磁極片の各磁極部とこれと対を成す第２磁極片の各磁極部とが歯車の歯筋方向に並ぶことを特徴とする。
【０００８】
本発明によれば、各磁極片がその長手方向に沿う側面で永久磁石の各極に接続されることになる。そのため、各磁極片の厚さ方向、または高さ方向の寸法を長くして各磁極片の断面積を大きくしなくても、永久磁石の各極と各磁極片との磁束が流入する接合面積を大きくすることができる。従って、各磁極片の断面積増加による速度発電機の大型化を招くことなく、永久磁石の各極と各磁極片との接合面積を大きくして、出力電圧を向上させることができる。そのため、コイル巻数を増やす必要がなく、小型・軽量化することができる。
【図面の簡単な説明】
【０００９】
【図１】本発明の実施形態の多出力速度発電機の構成図。
【図２】図１のII−II線で切断した断面図。
【図３】実施形態の多出力速度発電機の要部の平面図。
【発明を実施するための形態】
【００１０】
図１乃至図３を参照して、多出力速度発電機１は、歯車Ｇの回転速度を検出するために、歯車Ｇの周面に臨ませて設けられている。多出力速度発電機１は、永久磁石２と、永久磁石２の一方の極と他方の極に夫々接続される第１と第２の一対の磁極片３１，３２とを備えている。
【００１１】
第１と第２の各磁極片３１，３２には、所定巻数のコイル４を外嵌させた、歯車Ｇの周面に対し径方向に対向する複数、例えば、第１と第２の２つの磁極部３１ａ，３１ｂ、３２ａ，３２ｂが設けられている。
【００１２】
永久磁石２は、その着磁方向が歯車Ｇの軸方向に沿うように配置されている。そして、第１と第２の両磁極片３１，３２が、永久磁石２を歯車Ｇの軸方向両側から挟むようにして、歯車Ｇの周方向にのびるように配置されている。
【００１３】
また、第１磁極片３１の第１磁極部３１ａとこれと対を成す第２磁極片３２の第１磁極部３２ａとが歯車Ｇの歯筋方向に並ぶと共に、第１磁極片３１の第２磁極部３１ｂとこれと対を成す第２磁極片３２の第２磁極部３２ｂとが歯車Ｇの歯に対する位相を第１磁極部３１ａ，３２ａとは異ならせた状態で歯車Ｇの歯筋方向に並んでいる。そして、第１磁極片３１の第１磁極部３１ａに外嵌させたコイル４と第２磁極片３２の第１磁極部３２ａに外嵌させたコイル４を直列接続して、このコイル組から歯車Ｇの歯数と歯車Ｇの回転数とで定まる周波数の交流電圧が出力され、更に、第１磁極片３１の第２磁極部３１ｂに外嵌させたコイル４と第２磁極片３２の第２磁極部３２ｂに外嵌させたコイル４を直列接続して、このコイル組から上記交流電圧と同一周波数で且つ位相の異なる交流電圧が出力されるようにしている。尚、第１磁極片３１の第１磁極部３１ａに外嵌させたコイル４と第２磁極片３２の第１磁極部３２ａに外嵌させたコイル４を直列接続せずに夫々単体で、また、第１磁極片３１の第２磁極部３１ｂに外嵌させたコイル４と第２磁極片３２の第２磁極部３２ｂに外嵌させたコイル４を直列接続せずに夫々単体で電力出力するようにしてもよい。
【００１４】
また、本実施形態において、歯車Ｇははすば歯車であるため、第１と第２の両磁極片３１，３２の第１磁極部３１ａ，３２ａ同士と第２磁極部３１ｂ，３２ｂ同士は、夫々歯車Ｇの軸方向に対し歯筋の傾斜角分だけ傾斜した方向に並んでいる。歯車Ｇが平歯車である場合は、歯筋が歯車の軸方向に平行になるため、これら第１磁極部３１ａ，３２ａ同士と第２磁極部３１ｂ，３２ｂ同士は、夫々歯車の軸方向に並べればよい。
【００１５】
ところで、歯車Ｇの回転に伴いコイル４から出力される出力電圧を高くするには、永久磁石２から磁束が流れ込む各磁極片３１，３２の磁束流入面積、即ち、永久磁石２の各極と各磁極片３１，３２の接合面積を大きくする必要がある。ここで、本実施形態では、永久磁石２は、その着磁方向が歯車Ｇの軸方向に沿うように配置され、第１と第２の両磁極片３１，３２が永久磁石２を歯車Ｇの軸方向両側から挟むようにして歯車Ｇの周方向にのびるため、各磁極片３１，３２がその長手方向に沿う側面で永久磁石２の各極に接続されることになる。そのため、各磁極片３１，３２の厚さ方向、または高さ方向の寸法を長くして断面積を大きくしなくても、永久磁石２の各極と各磁極片３１，３２との接合面積を大きくすることができる。従って、各磁極片３１，３２の断面積増加による速度発電機の大型化を招くことなく、永久磁石２の各極と各磁極片３１，３２との接合面積を大きくして、出力電圧を向上させることができる。
【００１６】
以上、本発明の実施形態について図面を参照して説明したが、本発明はこれに限定されない。例えば、上記実施形態では、各磁極片３１，３２に２個の磁極部を設けているが、磁極部を３個以上設けてもよい。
【符号の説明】
【００１７】
Ｇ…歯車、１…多出力速度発電機、２…永久磁石、３１，３２…磁極片、３１ａ〜３２ｂ…磁極部、４…コイル。
【図１】
2018148713.tif 000003
【図２】
2018148713.tif 000004
【図３】
2018148713.tif 000005